(57)【要約】【課題】測定用機器のリード端子またはリード線と、配電盤における所望の端子台ネジとを、容易かつ確実に接続すること。【解決手段】支点部１０３において回動可能に連結され、支点部１０３を支点として揺動可能に設けられた一対のクリップ片１０１、１０２と、一対のクリップ片１０１、１０２における一端部１０１ａ、１０２ａどうしが当接するように一対のクリップ片１０１、１０２を付勢する付勢部材１０４と、一方のクリップ片１０１の他端部１０１ｂに設けられ、リード端子２０１またはリード線１１０２を保持可能な接続部１０５と、一方のクリップ片１０１の一端部１０１ａに設けられ、接続部１０５に対して電気的に接続された端子部１０７と、他方のクリップ片１０２に設けられ、当該他方のクリップ片１０２における少なくとも配電盤が備えた端子台ネジに接触する部分を絶縁する絶縁部１０８と、を備えた測定用クリップ１００を構成した。【選択図】図１
2010205544.tif 000002
【特許請求の範囲】
【請求項１】
支点部において回動可能に連結され、一端部どうしあるいは他端部どうしが当接するように前記支点部を支点として揺動可能に設けられた一対のクリップ片と、
前記一対のクリップ片における前記一端部どうしが当接するように前記一対のクリップ片を付勢する付勢部材と、
前記一対のクリップ片における一方のクリップ片の一端部に設けられ、リード端子またはリード線を保持可能な接続部と、
前記一方のクリップ片の他端部に設けられ、前記接続部に対して電気的に接続された端子部と、
前記一対のクリップ片における他方のクリップ片に設けられ、当該他方のクリップ片における少なくとも配電盤が備えた端子台ネジに接触する部分を絶縁する絶縁部と、
を備えたことを特徴とする測定用クリップ。
【請求項２】
前記一対のクリップ片の一端部は、それぞれ、前記配電盤が備えた端子に嵌合可能な形状からなることを特徴とする請求項１に記載の測定用クリップ。
【請求項３】
前記他方のクリップ片の他端部に設けられ、蛍光あるいは蓄光性を有する材料によって形成されたガイド部を備えたことを特徴とする請求項１または２に記載の測定用クリップ。
【請求項４】
前記一対のクリップ片は、それぞれ、互いに当接する一端側と他端側とに分割された複数のパーツによって構成され、
前記一端側のパーツは、前記他端側のパーツに対し取り外し可能に連結されていることを特徴とする請求項１〜３のいずれか一つに記載の測定用クリップ。
【請求項５】
配電盤の端子台に配列される端子台ネジであって、
半径方向に突出する凸部を備え、当該凸部が周方向に沿って連続した形状からなる頭部を備えたことを特徴とする端子台ネジ。
【請求項６】
配電盤の端子台に配列される端子台ネジであって、
首部分において周方向に沿って連続した溝をなす形状からなる頭部備えたことを特徴とする端子台ネジ。
【発明の詳細な説明】
【技術分野】
【０００１】
この発明は、端子台ネジの接続状態を確認するための各種測定作業に際して使用する測定用クリップおよび端子台ネジに関する。
【背景技術】
【０００２】
送電網から電力（電気）を受電し、受電した電力を需要設備に供給する配電盤がある。配電盤は、複数の端子台ネジが配列された配電盤端子台を備えている。配電盤の動作状態の確認に際しては、配電盤端子台において該当する端子台ネジに、測定器のリード線を接続する。
【０００３】
配電盤端子台においては、配電盤の内側用の配線（以下「盤内配線」という）と、配電盤の外側（屋外）用の配線（以下「盤外配線」という）とが接続できるように、盤内配線および盤外配線にそれぞれに対応した端子台ネジが配置されている。配電盤は、端子台ネジを覆うように配電盤端子台に設けられたプラスチック製のカバーを備えている。
【０００４】
測定をおこなう際には、このカバーを配電盤端子台から取り外し、端子台ネジを開放した状態で、感電や短絡を起こさないように注意しながら、測定器のリード線を該当する端子台ネジに接続していた。また、測定をおこなう際には、該当する端子台ネジ以外のネジを養生しており、これによって感電や短絡を防止するようにしていた。
【０００５】
従来、測定器のリード線を端子台ネジに接続する際は、たとえばカバーを配電盤端子台から取り外し、リード線の先端に設けられたワニ口クリップなどで、該当する端子台ネジの頭や圧着端子部をクリップしていた。また、従来、測定器のリード線を端子台ネジに接続する際は、たとえば該当する端子台ネジを緩め、当該端子台ネジと配電盤端子台との間にリード線を挟むようにして端子台ネジを締め付けていた。
【０００６】
また、従来、たとえば係合爪を備えた外嵌まりする保持穴を端子台ネジ頭部に押し込んで、係合爪とコイルスプリングで付勢された導体接触体により端子台ネジの頭部を把持するようにした端子台ネジ接続用クリップがあった（たとえば、下記特許文献１を参照）。
【０００７】
また、従来、リード線の一端または両端に取り付けられ、磁力によって端子に吸着する磁石部を介して、端子をリード線に導通させるクリップを備えた接点パス用クリップがあった（たとえば、下記特許文献２を参照）。
【０００８】
また、従来、たとえば端子台近傍の電線を挟んで電線に固定する電線挟み部材と、この電線挟み部材に設けられ、端子台に向けて付勢した長尺の接続端子とを備え、接続端子を固定する機能と端子台から電流や電圧を取得する機能をそれぞれ独立した構成とした端子があった（たとえば、下記特許文献３を参照）。
【先行技術文献】
【特許文献】
【０００９】
【特許文献１】特開平８−２７３７２７号公報
【特許文献２】特開２００６−１２７９６６号公報
【特許文献３】特開平１１−３１５４６号公報
【発明の概要】
【発明が解決しようとする課題】
【００１０】
しかしながら、上述した従来の技術では、ワニ口クリップを用いて測定器のリード線を端子台ネジに接続するようにした場合、ワニ口クリップが端子台ネジを挟んでいるだけであるため、接続の強度を確保することが難しいという問題があった。具体的には、たとえば測定作業中に作業者の手や身体などがリード線に引っ掛かった場合に、ワニ口クリップが端子台ネジの頭や圧着端子部からはずれてしまうことがあった。
【００１１】
また、上述した従来の技術では、ワニ口クリップを用いて測定器のリード線を端子台ネジに接続するようにした場合、ワニ口クリップと端子台ネジとの接点は、端子台ネジの外周上の一点のみとなる。ワニ口クリップを用いて測定器のリード線を端子台ネジに接続する場合の接続強度、すなわちワニ口クリップが端子台ネジを挟持する力は、ワニ口クリップが有するスプリングに起因している。
【００１２】
このため、使用を重ねることによってスプリングが劣化した場合、ワニ口クリップが端子台ネジを挟持する力が保てなくなって、接続の強度を確保することが難しくなるという問題があった。このために、作業者の手や身体などがリード線に引っ掛かった場合にワニ口クリップがはずれやすくなってしまう。
【００１３】
また、上述した従来の技術では、ワニ口クリップを用いて測定器のリード線を端子台ネジに接続するようにした場合、配電盤の設置状態によっては、端子台ネジの頭や圧着端子部をワニ口クリップでクリップすることが難しい。具体的には、たとえば配電盤の設置場所が狭い、配電盤における端子台ネジの向きが作業者側に向いていないなどの状況で、ワニ口クリップを用いる場合、端子台ネジからワニ口クリップの長さ分の空間を確保することができずに、狭い隙間にワニ口クリップを押し込むようにして該当する端子台ネジをクリップする。
【００１４】
このような、ワニ口クリップとリード線との接続部分が折れ曲がった状態での使用を重ねることによって、リード線の素線切れが生じてしまうことが危惧される。すなわち、ワニ口クリップを用いて測定器のリード線を端子台ネジに接続する方法は、配電盤の設置状態によっては利用できないという問題があった。
【００１５】
また、上述した従来の技術では、配電盤の設置状態によっては、端子台ネジを緩める工具を該当する端子台ネジに当てることが難しいことがあった。このような状況では、ワニ口クリップとリード線との接続部分が折れ曲がった状態となっても、ワニ口クリップを用いて測定器のリード線を端子台ネジに接続するしかなく、使用を重ねることによってリード線の素線切れが生じてしまうという問題があった。また、上述したこれらの問題は、特許文献１〜３に記載された上記の各技術では解消することはできないという問題があった。
【００１６】
この発明は、上述した従来技術による問題点を解消するため、測定用機器のリード端子またはリード線と、配電盤における所望の端子台ネジとを、容易かつ確実に接続することができる測定用クリップおよび端子台ネジを提供することを目的とする。
【課題を解決するための手段】
【００１７】
上述した課題を解決し、目的を達成するため、この発明にかかる測定用クリップは、支点部において回動可能に連結され、一端部どうしあるいは他端部どうしが当接するように前記支点部を支点として揺動可能に設けられた一対のクリップ片と、前記一対のクリップ片における前記一端部どうしが当接するように前記一対のクリップ片を付勢する付勢部材と、前記一対のクリップ片における一方のクリップ片の一端部に設けられ、リード端子またはリード線を保持可能な接続部と、前記一方のクリップ片の他端部に設けられ、前記接続部に対して電気的に接続された端子部と、前記一対のクリップ片における他方のクリップ片に設けられ、当該他方のクリップ片における少なくとも配電盤が備えた端子に接触する部分を絶縁する絶縁部と、を備えたことを特徴とする。
【００１８】
この発明によれば、他端部を握ることによって、支点部を支点として他端部どうしが近づくように一対のクリップ片を揺動させ、一端部どうしを離間させることができる。また、この発明によれば、他端部を握った状態から握っている他端部を解放することによって、付勢部材の付勢力によって、一端部どうしが当接する方向に一対のクリップ片を揺動させることができる。
【００１９】
これにより、この発明によれば、他端部を握ることで離間させた一端部どうしの間に、測定対象となる端子台ネジを挟み込み、この状態で握っている他端部を解放することによって、閉じようとするクリップ片の付勢力によって端子部を端子台ネジに押しつけ、端子台ネジと端子部とを確実に接触させることができる。
【００２０】
そして、端子部を端子台ネジに接触させた状態で、測定器のリード端子またはリード線を接続部において保持する。これにより、複数の端子台ネジが接近して配列されている端子台においても、測定対象となる端子台ネジに、測定器のリード端子またはリード線を容易かつ確実に接続することができる。
【００２１】
端子台においては、盤内配線に対応した端子台ネジの列と、盤外配線に対応した端子台ネジの列とが平行に隣り合って配置されており、隣り合う端子台ネジどうしの間隔が狭い。このため、測定対象となる端子台ネジを挟み込む際には、測定対象となる端子台ネジと当該端子台ネジに隣り合う別の端子台ネジとを挟み込む。
【００２２】
この発明によれば、他方のクリップ片に絶縁部が設けられているため、測定対象となる端子台ネジと当該端子台ネジに隣り合う別の端子台ネジとを挟み込んだ場合にも、感電や短絡を起こすことなく、測定対象となる端子台ネジに、測定器のリード端子またはリード線を容易かつ確実に接続することができる。
【００２３】
また、この発明にかかる測定用クリップは、上記の発明において、前記一対のクリップ片の一端部が、それぞれ、前記配電盤が備えた端子台ネジに嵌合可能な形状からなることを特徴とする。
【００２４】
この発明によれば、一対のクリップ片の一端部を配電盤が備えた端子台ネジに嵌合させることによって、測定対象とする端子台ネジおよび当該端子台ネジとともに測定用クリップによって挟み込む端子台ネジに対して測定用クリップを確実に固定することができる。
【００２５】
また、この発明にかかる測定用クリップは、上記の発明において、前記他方のクリップ片の他端部に設けられ、蛍光あるいは蓄光性を有する材料によって形成されたガイド部を備えたことを特徴とする。
【００２６】
この発明によれば、測定対象となる端子台ネジが狭く薄暗い場所に設置されている場合にも、ガイド部を周囲よりも目立たせることができる。これによって、ガイド部の近傍にある接続部を目立たせ、測定器のリード端子またはリード線の接続位置を分かりやすく案内するとともに、作業終了後に測定用クリップを取り外し忘れることを防止することができる。
【００２７】
また、この発明にかかる測定用クリップは、上記の発明において、前記一対のクリップ片が、それぞれ、互いに当接する一端側と他端側とに分割された複数のパーツによって構成され、前記一端側のパーツは、前記他端側のパーツに対し取り外し可能に連結されていることを特徴とする。
【００２８】
この発明によれば、一端側のパーツの長さを変えることにより、測定用クリップが挟み込むことができる幅を変更することができる。これにより、大きさが異なる複数種類の端子台の端子台ネジに測定器のリード端子またはリード線を接続することができるので、測定用クリップの汎用性の向上を図ることができる。
【００２９】
また、この発明にかかる端子台ネジは、配電盤の端子台に設けられる端子台ネジであって、半径方向に突出する凸部を備え、当該凸部が周方向に沿って連続した形状からなる頭部を備えたことを特徴とする。
【００３０】
この発明によれば、上述した測定用クリップを用いて測定対象とする端子台ネジを挟み込んだ場合に、上述した測定用クリップにおける端子部と端子台ネジとを凸部を介して確実に接触させることができる。
【００３１】
また、この発明にかかる端子台ネジは、配電盤の端子台に設けられる端子台ネジであって、首部分において周方向に沿って連続した溝をなす形状からなる頭部を備えたことを特徴とする。
【００３２】
この発明によれば、上述した測定用クリップを用いて測定対象とする端子台ネジを挟み込んだ場合に、端子台ネジの頭部がなす溝に一対のクリップ片の一端部を嵌め込みあるいは係合させることができる。これによって、測定対象とする端子台ネジおよび当該端子台ネジとともに測定用クリップによって挟み込む端子台ネジに対して測定用クリップを確実に固定することができる。
【発明の効果】
【００３３】
この発明にかかる測定用クリップおよび端子台ネジによれば、測定用機器のリード端子またはリード線と、配電盤における所望の端子台ネジとを、容易かつ確実に接続することができるという効果を奏する。
【図面の簡単な説明】
【００３４】
【図１】この発明にかかる実施の形態の測定用クリップを示す説明図（その１）である。
【図２】この発明にかかる実施の形態の測定用クリップを示す説明図（その２）である。
【図３】この発明にかかる実施の形態の測定用クリップを示す説明図（その３）である。
【図４】この発明にかかる実施の形態の測定用クリップを示す説明図（その４）である。
【図５−１】クリップ片の構造を示す説明図（その１）である。
【図５−２】クリップ片の構造を示す説明図（その２）である。
【図５−３】クリップ片の構造を示す説明図（その３）である。
【図６−１】クリップ片の構造を示す説明図（その４）である。
【図６−２】クリップ片の構造を示す説明図（その５）である。
【図７−１】配電盤が備えた端子台を示す説明図（その１）である。
【図７−２】配電盤が備えた端子台を示す説明図（その２）である。
【図８】端子部の別の一例を示す説明図（その１）である。
【図９】端子部の別の一例を示す説明図（その２）である。
【図１０】端子台ネジの別の一例を示す説明図である。
【図１１−１】接続部の別の一例を示す説明図（その１）である。
【図１１−２】接続部の別の一例を示す説明図（その２）である。
【発明を実施するための形態】
【００３５】
以下に添付図面を参照して、この発明にかかる測定用クリップおよび端子台ネジの好適な実施の形態を詳細に説明する。
【００３６】
まず、この発明にかかる実施の形態の測定用クリップについて説明する。図１、図２、図３および図４は、この発明にかかる実施の形態の測定用クリップを示す説明図である。図１、図２、図３および図４において、この発明にかかる測定用クリップ１００は、一対のクリップ片１０１、１０２を備えている。一対のクリップ片１０１、１０２は、それぞれ、金属材料を用いて形成されており、導電性を有している。
【００３７】
一対のクリップ片１０１、１０２の表面は、それぞれ、絶縁性を有する材料によって被覆されている。一対のクリップ片１０１、１０２の表面は、具体的には、たとえばポリエチレンやビニールなどの材料によって被覆されている。これにより、一対のクリップ片１０１、１０２は、外部に対して絶縁されている。
【００３８】
一対のクリップ片１０１、１０２は、支点部１０３において、互いに相対的に回動可能に連結されている。一対のクリップ片１０１、１０２は、一方のクリップ片を他方のクリップ片に対して相対的に回動させることにより、一対のクリップ片１０１、１０２における一端部１０１ａ、１０２ａどうし、あるいは、一対のクリップ片１０１、１０２における他端部１０１ｂ、１０２ｂどうしが当接するように、支点部１０３を支点として揺動する。
【００３９】
測定用クリップ１００は、一対のクリップ片１０１、１０２における一端部１０１ａ、１０２ａどうしが当接するように、当該一対のクリップ片１０１、１０２を付勢する付勢部材１０４を備えている。付勢部材１０４は、弾性材料を用いて形成され、略Ｃ字形状をなしている。付勢部材１０４は、両端が一対のクリップ片１０１、１０２の外側から当接するようにして設けられている。
【００４０】
付勢部材１０４は、一対のクリップ片１０１、１０２における一端部どうしが離間する方向に揺動した場合に、一対のクリップ片１０１、１０２によって押されるようにして、略Ｃ字形状を維持しながら両端の間隔が開くように変形する。付勢部材１０４の付勢力は、両端の間隔が開くように変形するほど、付勢部材１０４を形成する弾性材料が有する弾性によって、取り付け時の形状を維持する方向すなわち一対のクリップ片１０１、１０２における一端部どうしが当接する方向へ、当該一対のクリップ片１０１、１０２をより強く付勢する。付勢部材１０４は、たとえば金属材料あるいは所定の弾性を備えた樹脂材料を用いて形成することができる。
【００４１】
付勢部材１０４は、略Ｃ字形状をなすものに限らない。付勢部材１０４は、略Ｃ字形状をなす付勢部材１０４に代えて、あるいは加えて、たとえば支点部１０３よりも一端部１０１ａ、１０２ａ側に設けられた引っ張りバネによって実現することができる。また、付勢部材１０４は、略Ｃ字形状をなす付勢部材１０４に代えて、あるいは加えて、たとえば支点部１０３よりも他端部１０１ｂ、１０２ｂ側に設けられた圧縮バネによって実現するようにしてもよい。
【００４２】
一対のクリップ片１０１、１０２における一方のクリップ片１０１の他端部１０１ｂには、接続部１０５が設けられている。接続部１０５は、一方のクリップ片１０１に対して一体的に設けられている。接続部１０５は、測定器のリード端子２０１を保持可能な形状をなしている。具体的には、接続部１０５は、たとえばリード端子２０１を挿入することが可能な凹部１０６を備え、金属材料によって形成された、一方のクリップ片１０１に対して一体的に設けられた部材とすることができる。
【００４３】
凹部１０６の内面には、一方のクリップ片１０１に電気的に接続された、導電性を有する材料が設けられている。導電性を有する材料は、たとえば凹部１０６の内面全体に設けることができる。具体的には、たとえば接続部１０５が、一方のクリップ片１０１に対して一体的に設けられた金属材料によって形成されている場合、当該接続部１０５を形成する金属材料を、凹部１０６の内面に露出させることによって、凹部１０６の内面に導電性を有する材料が設けられた状態とすることができる。
【００４４】
導電性を有する材料は、凹部１０６の内面における一部に設けられていてもよい。具体的には、たとえば接続部１０５が、一方のクリップ片１０１に対して一体的に設けられた金属材料によって形成され、かつ凹部１０６の内面を含む一方のクリップ片１０１の表面全体が絶縁材料によって被覆されている場合、凹部１０６の底部分の絶縁材料を取り除いた状態とすることによって、凹部１０６の内面に導電性を有する材料が設けられた状態とすることができる。
【００４５】
凹部１０６は、凹部１０６に挿入されたリード端子２０１が抜けないように、リード端子２０１の直径と同一あるいは若干小さい径で開口している。また、凹部１０６は、凹部１０６に挿入されたリード端子２０１と凹部１０６の内面とが確実に接触するように、リード端子２０１の挿入方向における少なくとも一部に、内径を小さくする方向に突出する突起（図示を省略する）を備えていてもよい。これにより、凹部１０６に挿入されたリード端子２０１と導電性部材とを確実に接触させることができる。
【００４６】
一方のクリップ片１０１の一端部１０１ａには、端子部１０７が設けられている。端子部１０７は、接続部１０５に対して電気的に接続されている。端子部１０７は、一方のクリップ片１０１と一体に形成されており、一方のクリップ片１０１と同じ金属材料を用いて形成されている。これにより、この実施の形態においては、接続部１０５と端子部１０７とが、一方のクリップ片１０１を介して電気的に接続されている。
【００４７】
一対のクリップ片１０１、１０２における他方のクリップ片１０２の一端部１０１ａには、絶縁部１０８が設けられている。絶縁部１０８は、絶縁性を有する材料からなり、絶縁部１０８全体を被覆している。絶縁部１０８は、他方のクリップ片１０２の全体を被覆するように設けられた絶縁性を有する材料に連続し、当該絶縁性を有する材料と一体的に設けられている。
【００４８】
絶縁部１０８は、他方のクリップ片１０２において、配電盤（図７−１および図７−２を参照）に設けられた端子台ネジに接触する部分の絶縁を確保することができる位置に設けられている。具体的には、絶縁部１０８は、たとえば、他方のクリップ片１０２の一端部１０２ａのうち、一方のクリップ片１０１の一端部１０１ａと対向する面に設けられていることが好ましい。
【００４９】
他方のクリップ片１０２の他端部１０２ｂには、ガイド部１１０が設けられている。ガイド部１１０は、蛍光あるいは蓄光性を有する材料によって形成されている。ガイド部１１０は、蛍光塗料あるいは蓄光塗料を、他方のクリップ片１０２の他端部１０２ｂに塗布することによって実現することができる。あるいはガイド部１１０は、蛍光あるいは蓄光性を有する材料によって形成されたキャップを、他方のクリップ片１０２の他端部１０２ｂに被せることによって実現してもよい。
【００５０】
このように、ガイド部１１０を設けることにより、薄暗い場所において、他方のクリップ片１０２の他端部１０２ｂの位置を容易に確認することができる。また、他方のクリップ片１０２の他端部１０２ｂの位置を確認できることによって、測定用クリップ１００全体あるいは接続部１０５の位置を容易に確認することができる。
【００５１】
一対のクリップ片１０１、１０２の一端部１０１ａ、１０２ａは、それぞれ、配電盤の端子台に設けられた端子台ネジ（図７−１および図７−２を参照）に嵌合可能な形状からなる。具体的には、一対のクリップ片１０１、１０２の一端部１０１ａ、１０２ａは、それぞれ、円弧状に湾曲した形状からなり、互いの内周面を対向させた状態で一対のクリップ片１０１、１０２に設けられている。一方のクリップ片１０１の一端部１０１ａは、一方のクリップ片１０１本体と一体的に形成され、一方のクリップ片１０１本体と電気的に接続されている。
【００５２】
この実施の形態においては、一方のクリップ片１０１の一端部１０１ａと一方のクリップ片１０１の本体部分とを一体的に形成したが、これに限るものではない。一方のクリップ片１０１の一端部１０１ａと一方のクリップ片１０１の本体部分とを別体で形成し、双方を電気的に接続した構成であってもよい。
【００５３】
一対のクリップ片１０１、１０２の一端部１０１ａ、１０２ａは、配電盤の端子台に設けられた端子台ネジの頭部を、外周側から覆うことができるように、端子台ネジの頭部の直径と同等あるいは端子台ネジの頭部の直径よりも大きな円弧状に湾曲した形状からなる。これにより、一方のクリップ片１０１の一端部１０１ａに設けられた端子部１０７は、測定対象となる端子台ネジの頭部を外周側から囲むようにして、当該端子台ネジに接触する。これによって、端子部１０７と端子台ネジとを確実に接触させることができる。
【００５４】
（クリップ片１０１、１０２の構造）
つぎに、クリップ片１０１、１０２の構造について説明する。図５−１、図５−２、図５−３、図６−１および図６−２は、クリップ片１０１、１０２の構造を示す説明図である。図５−１、図５−２、図５−３、図６−１および図６−２において、一対のクリップ片１０１、１０２は、それぞれ、一端側のパーツ５０１ａ、５０２ａと、他端側のパーツ５０１ｂ、５０２ｂとを組み合わせることによって構成されている。
【００５５】
一端側のパーツ５０１ａ、５０２ａと他端側のパーツ５０１ｂ、５０２ｂとは、連結部５０３を介して分離可能に連結されており、適宜、一端側のパーツ５０１ａ、５０２ａと他端側のパーツ５０１ｂ、５０２ｂとに分割することができる。連結部５０３は、たとえば一端側のパーツ５０１ａ、５０２ａに設けた凹部５０４に、他端側のパーツ５０１ｂ、５０２ｂに設けた突起５０５を押し込むことによって連結する構成とすることができる（たとえば図６−１を参照）。
【００５６】
連結部５０３の構成はこれに限るものではなく、一端側のパーツ５０１ａ、５０２ａに突起５０５を設け、この突起５０５を他端側のパーツ５０１ｂ、５０２ｂに設けた凹部５０４に押し込むことによって、一端側のパーツ５０１ａ、５０２ａと他端側のパーツ５０１ｂ、５０２ｂとを連結する構成としてもよい。
【００５７】
また、連結部５０３は、たとえば他端側のパーツ５０１ｂ、５０２ｂに設けた突起５２１を、一端側のパーツ５０１ａ、５０２ａに設けた凹部５２２に押し込むことによって、一端側のパーツ５０１ａ、５０２ａと他端側のパーツ５０１ｂ、５０２ｂと連結する構成としてもよい（たとえば図６−２を参照）。
【００５８】
この場合、たとえば突起５２１を略球体形状とし、凹部５２２の入り口部分の径を突起の直径よりも小さくし、凹部５２２を押し広げながら突起５２１を凹部５２２に押し込むことによって連結する構成としてもよい。これにより、一端側のパーツ５０１ａ、５０２ａと他端側のパーツ５０１ｂ、５０２ｂとを連結した際にクリック感が得られるとともに、一端側のパーツ５０１ａ、５０２ａと他端側のパーツ５０１ｂ、５０２ｂとを確実に連結することができる。
【００５９】
このように、一端側のパーツ５０１ａ、５０２ａと他端側のパーツ５０１ｂ、５０２ｂとを連結部５０３を介して分離可能に連結することによって一対のクリップ片１０１、１０２を構成することにより、一端側のパーツ５０１ａ、５０２ａと他端側のパーツ５０１ｂ、５０２ｂとの組み合わせを適宜変更することができる。これにより、たとえば、一端側のパーツ５０１ａ、５０２ａの長さを、先に連結されているものより長いものに変更することによって、一対のクリップ片１０１、１０２全体の長さを変更することができる。
【００６０】
これによって、測定作業をおこなう環境に応じて、一端側のパーツ５０１ａ、５０２ａの長さを適切に選択することにより、測定対象となる端子台ネジと接続部との距離を、作業がしやすい任意の距離だけ確保することができる。
【００６１】
また、一端側のパーツ５０１ａ、５０２ａは直線形状に限るものではない。一端側のパーツ５０１ａ、５０２ａは、長手方向に沿って、たとえば９０度、６０度などのように屈曲していてもよい。これによって、測定作業をおこなう環境に応じて、測定対象となる端子台ネジに対する接続部の位置を、作業がしやすい任意の位置とすることができる。
【００６２】
（端子台の構成）
つぎに、配電盤が備えた端子台について説明する。図７−１および図７−２は、配電盤が備えた端子台を示す説明図である。図７−１は配電盤が備えた端子台の外観を示しており、図７−２は配電盤が備えた端子台の断面を示している。
【００６３】
図７−１および図７−２において、配電盤は、複数の端子台ネジ７０１が設けられた端子台７００を備えている。複数の端子台ネジ７０１は、プラスチック製のカバー７０２によってカバー７０２されている。カバー７０２は、端子台７００に対して取り外し可能に設けられている。カバー７０２は、端子台７００に取り付けられた端子台ネジ７０１を上方側から覆うようにして端子台７００に取り付けられる。
【００６４】
配電盤の端子台７００には、配電盤の内側用の配線（以下「盤内配線」という）７０３に接続された複数の端子台ネジ７０１と、配電盤の外側（屋外）用の配線（以下「盤外配線」という）７０４に接続された複数の端子台ネジ７０１と、が設けられている。端子台７００に設けられた複数の端子台ネジ７０１のうち、盤内配線７０３に接続された端子台ネジ７０１（以下「盤内配線７０３用の端子台ネジ７０１」という）、および、盤外配線７０４に接続された端子台ネジ７０１（以下「盤外配線７０４用の端子台ネジ７０１」という）は、それぞれ直線状に一列に配列されている。
【００６５】
配電盤の端子台７００において、盤内配線７０３用の端子台ネジ７０１がなす列と盤外配線７０４用の端子台ネジ７０１がなす列とは、平行に隣り合うような状態で配置されている。配電盤において、端子台７００は、各端子台ネジ７０１がなす列が、上下（鉛直）方向に延びるような状態で配置されている。
【００６６】
これにより、各端子台ネジ７０１は、上下方向において他の端子台ネジ７０１と隣り合うとともに、左右（水平）方向において盤内配線７０３用の端子台ネジ７０１あるいは盤外配線７０４用の端子台ネジ７０１と隣り合っている。端子台７００において、上下方向に配列される端子台ネジ７０１の数は、たとえば上下方向における端子台７００の寸法などにしたがって決定することができる。端子台７００において、上下方向に配列される端子台ネジ７０１の数は、特定の個数に限定されるものではなく、適宜設定することができる。
【００６７】
上記のカバー７０２は、端子台７００に取り付けられた場合に、盤内配線７０３用の端子台ネジ７０１を間にして、盤外配線７０４用の端子台ネジ７０１とは反対側を開放するような形状からなる。また、上記のカバー７０２は、端子台７００に取り付けられた場合に、盤外配線７０４用の端子台ネジ７０１を間にして、盤内配線７０３用の端子台ネジ７０１とは反対側を開放するような形状からなる。
【００６８】
上記の測定用クリップ１００が備えた一対のクリップ片１０１、１０２における一端部１０１ａ、１０２ａは、盤内配線７０３用の端子台ネジ７０１および盤外配線７０４用の端子台ネジ７０１の側方を開放する、カバー７０２と端子台７００との間に形成される隙間７０５に挿入することが可能な大きさとされている。このため、測定に際しては、一対のクリップ片１０１、１０２における一端部１０１ａ、１０２ａをカバー７０２と端子台７００との間に形成される隙間７０５に挿入することができる。これによって、カバー７０２を取り外すことなく、隙間７０５に挿入した一端部１０１ａ、１０２ａを該当する端子台ネジ７０１に当接させることができる。
【００６９】
測定用クリップ１００が、一端側のパーツ５０１ａ、５０２ａの間にカバー７０２を挟み込んだ状態においては、一対のクリップ片１０１、１０２における一端部１０１ａ、１０２ａは、付勢部材１０４の付勢力によって該当する端子台ネジ７０１に当接する方向に付勢されている。これにより、測定用クリップ１００を、一端側のパーツ５０１ａ、５０２ａの間にカバー７０２を挟み込んだ状態で端子台７００に固定することができる。付勢部材１０４の付勢力を用いて測定用クリップ１００を端子台７００に固定することにより、測定用クリップ１００を端子台７００に対して安定してかつ確実に固定することができる。
【００７０】
左右（水平）方向において隣り合って配置された、盤内配線７０３用の端子台ネジ７０１と盤外配線７０４用の端子台ネジ７０１とは、それぞれ導電板７１０に螺合されている。導電板７１０は、導電性を有する材料を板状に成型した部材であって、たとえば金属材料を用いて形成されている。これにより、左右（水平）方向において隣り合って配置された、盤内配線７０３用の端子台ネジ７０１と盤外配線７０４用の端子台ネジ７０１とは、導電板７１０を介して電気的に接続されている。
【００７１】
端子台ネジ７０１は、軸部７１１と、軸部７１１の一端に設けられた頭部７１２とを備えている。頭部７１２は、軸部７１１の軸心を通り、軸心方向に平行に切断した場合の断面が、略六角形状をなすような形状からなる。略六角形状をなす断面において、半径方向に突出する先端部は、半径方向に突出する凸部７１２ａをなしている。この凸部７１２ａは、端子台ネジ７０１の頭部７１２において、周方向に沿って連続し、外周方向に向かって環状に突出した形状をなす。
【００７２】
端子台ネジ７０１の頭部７１２に環状の凸部７１２ａを設けることにより、測定用クリップ１００を用いて測定対象とする端子台ネジ７０１を挟み込んだ場合に、上述した測定用クリップ１００における端子部１０７と、測定用クリップ１００によって挟み込まれた端子台ネジ７０１とを、当該端子台ネジ７０１が備える凸部７１２ａを介して確実に接触させることができる。これにより、端子台ネジ７０１と接続部１０５との電気的な接続を確保することができる。
【００７３】
また、端子台ネジ７０１の頭部７１２を、略六角形状をなすような形状とすることにより、汎用的なワニ口クリップを用いた場合に、当該ワニ口クリップを端子台ネジ７０１の頭部７１２に確実に噛み合わせることができる。これによって、端子台ネジ７０１と接続部１０５との電気的な接続を確保することができる。
【００７４】
測定用クリップ１００を用いて測定対象とする端子台ネジ７０１を挟み込み、端子台ネジ７０１と接続部１０５とを電気的に接続した状態においては、端子部１０７に対して電気的に接続された接続部１０５が、端子部１０７から離間した位置に位置付けられる。この状態で、接続部１０５にリード端子２０１を挿入することにより、測定対象となる端子台ネジ７０１の周辺の端子台ネジ７０１に接続された各種の配線との短絡を危惧することなく、測定対象となる端子台ネジ７０１とリード端子２０１とを電気的に接続することができる。
【００７５】
端子部１０７に対する接続部１０５の位置は、他端側のパーツ５０１ｂ、５０２ｂに連結される一端側のパーツ５０１ａ、５０２ａの長さによって適宜決定することができる。これにより、測定対象となる端子台ネジ７０１を備えた端子台７００の水平方向の寸法や、当該端子台ネジ７０１周辺の配線状況や、端子台７００周辺の作業スペースの大きさなどに応じて、一端側のパーツ５０１ａ、５０２ａの長さを適宜決定することで、測定対象となる端子台ネジ７０１およびリード線のみを電気的に接続することができる位置に接続部１０５を位置付けることができる。
【００７６】
これによって、複数の端子台ネジ７０１やこれらの端子台ネジ７０１に接続された配線などが混み合っていることに起因する感電や短絡を防止し、測定対象となる端子台ネジ７０１およびリード線のみを確実に電気的に接続することができる。
【００７７】
上述した実施の形態においては、端子部１０７の内側の面が平滑な面である場合について説明したが、これに限るものではない。図８は、端子部１０７の別の一例を示す説明図である。図８において、端子部１０７は、端子台ネジ７０１と接触する内側の面に、波状の凹凸を形成する複数のリブ８０１を備えている。複数のリブ８０１は、端子部１０７の内側の面に沿って円弧上に湾曲して設けられている。
【００７８】
このように、端子部１０７の内側の面にリブ８０１を設けることによって、端子台ネジ７０１の頭部７１２における環状の突起と端子部１０７とを噛み合わせることができ、端子部１０７を端子台ネジ７０１に確実かつ安定して接触させることができる。
【００７９】
また、上述した実施の形態においては、端子部１０７の内側の面が平滑な面である場合について説明したが、これに限るものではない。図９は、端子部１０７の別の一例を示す説明図である。図９において、端子部１０７は、図８におけるリブ８０１に代えて、複数の突起９０１を備えている。これにより、端子部１０７の内側の面には、凹凸が形成されている。
【００８０】
このように、端子部１０７の内側の面に複数の突起９０１を設けることによって、端子台ネジ７０１の頭部における環状の凸部７１２ａと端子部１０７とを噛み合わせることができ、端子部１０７を端子台ネジ７０１に確実かつ安定して接触させることができる。
【００８１】
また、上述した実施の形態においては、断面が軸心方向にそって対称な形状をなす端子台ネジ７０１について説明したが、端子台ネジ７０１の形状はこれに限るものではない。図１０は、端子台ネジ７０１の別の一例を示す説明図である。図１０において、端子台ネジ７０１は、軸部の軸心を通り、軸心方向に平行に切断した場合の断面が、当該軸心方向において非対称な六角形状をなす頭部１００１を備えている。
【００８２】
このような形状をなす頭部１００１を備えた端子台ネジ７０１は、端子台７００に取り付けられた場合に、頭部１００１と導電板７１０との境界部分すなわち端子台ネジ７０１における首部分の周辺において、端子台ネジ７０１の軸心周りに沿って連続した溝１００２を形成する。
【００８３】
首部分の周辺に溝１００２を設けることにより、測定用クリップ１００を用いて測定対象とする端子台ネジ７０１を挟み込んだ場合に、上述した測定用クリップ１００における端子部１０７を溝１００２に嵌め込むことができる。これにより、測定用クリップ１００を端子台７００に確実に固定し、測定用クリップ１００が不用意に脱落することを防止できる。
【００８４】
また、上述した実施の形態においては、リード端子２０１を挿入することが可能な凹部１０６を備えた接続部１０５について説明したが、これに限るものではない。図１１−１および図１１−２は、接続部の別の一例を示す説明図である。図１１−１および図１１−２において、別の一例の接続部１０５は、リード端子２０１に加えて、リード線１１０２を保持可能な係止部１１０１を備えている。
【００８５】
係止部１１０１は、具体的には、たとえば一方のクリップ片１０１の他端部１０１ｂに、リード線１１０２を係止することが可能な、導電性を有した突起を設けることによって実現することができる。係止部１１０１は、凹部１０６の内面など、端子部１０７に対して電気的に接続された位置に対して、電気的に接続されている。
【００８６】
係止部１１０１は、係止部１１０１のみであってもよいし、凹部１０６と併存していてもよい。これにより、リード端子２０１に代えて、あるいは加えて、リード線１１０２を保持することができる。凹部１０６を備えた接続部１０５においては、導電性を有する係止部１１０１を凹部１０６とは異なる位置に設ける。これによって、リード端子２０１およびリード線１１０２の両方を接続することが可能になる。
【００８７】
以上説明したように、この実施の形態の測定用クリップ１００は、支点部１０３において回動可能に連結され、一端部１０１ａ、１０２ａどうしあるいは他端部１０１ｂ、１０２ｂどうしが当接するように支点部１０３を支点として揺動可能に設けられた一対のクリップ片１０１、１０２と、一対のクリップ片１０１、１０２における一端部１０１ａ、１０２ａどうしが当接するように一対のクリップ片１０１、１０２を付勢する付勢部材１０４と、一方のクリップ片１０１の他端部１０１ｂに設けられ、リード端子２０１またはリード線１１０２を保持可能な接続部１０５と、一方のクリップ片１０１の一端部１０１ａに設けられ、接続部１０５に対して電気的に接続された端子部１０７と、他方のクリップ片１０２に設けられ、当該他方のクリップ片１０２における少なくとも配電盤が備えた端子台ネジ７０１に接触する部分を絶縁する絶縁部１０８と、を備えたことを特徴としている。
【００８８】
この実施の形態の測定用クリップ１００によれば、他端部１０１ｂ、１０２ｂを握り、支点部１０３を支点として他端部１０１ｂ、１０２ｂどうしが近づくように一対のクリップ片１０１、１０２を揺動させることによって、一端部１０１ａ、１０２ａどうしを離間させることができる。また、この発明によれば、他端部１０１ｂ、１０２ｂを握った状態から握っている他端部１０１ｂ、１０２ｂを解放することによって、付勢部材１０４の付勢力によって、一端部１０１ａ、１０２ａどうしが当接する方向に一対のクリップ片１０１、１０２を揺動させることができる。
【００８９】
これにより、この実施の形態の測定用クリップ１００によれば、他端部１０１ｂ、１０２ｂを握ることで離間させた一端部１０１ａ、１０２ａどうしの間に、測定対象となる端子台ネジ７０１を挟み込み、この状態で握っている他端部１０１ｂ、１０２ｂを解放することによって、閉じようとする一対のクリップ片１０１、１０２の付勢力によって端子部１０７を端子台ネジ７０１に押しつけ、端子台ネジ７０１と端子部１０７とを確実に接触させることができる。
【００９０】
そして、端子部１０７を端子台ネジ７０１に接触させた状態で、測定器のリード端子２０１またはリード線１１０２を接続部１０５に接続することにより、複数の端子台ネジ７０１が接近して配列されている端子台７００においても、測定対象となる端子台ネジ７０１のみに、測定器のリード端子２０１またはリード線１１０２を容易かつ確実に接続することができる。
【００９１】
端子台７００においては、盤内配線７０３に対応した端子台ネジ７０１の列と、盤外配線７０４に対応した端子台ネジ７０１の列とが平行に隣り合って配置されており、隣り合う端子台ネジ７０１どうしの間隔は狭い。このため、測定対象となる端子台ネジ７０１を挟み込む際には、測定対象となる端子台ネジ７０１と当該端子台ネジ７０１に隣り合う別の端子台ネジ７０１とを挟み込むことになるが、この実施の形態の測定用クリップ１００においては、他方のクリップ片１０２に絶縁部１０８が設けられているため、測定対象となる端子台ネジ７０１と当該端子台ネジ７０１に隣り合う別の端子台ネジ７０１とを挟み込んだ場合にも、感電や短絡を起こすことなく、測定対象となる端子台ネジ７０１に、測定器のリード端子２０１またはリード線１１０２を容易かつ確実に接続することができる。
【００９２】
また、この実施の形態の測定用クリップ１００は、一対のクリップ片１０１、１０２の一端部１０１ａ、１０２ａどうしの間に端子台７００（盤内配線７０３用の端子台ネジ７０１および盤外配線７０４用の端子台ネジ７０１）を挟み込むようにして、端子台７００に対する測定用クリップ１００の位置を固定することができる。
【００９３】
すなわち、この実施の形態の測定用クリップ１００は、端子部１０７と絶縁部１０８との２箇所において測定用クリップ１００を支持した状態で、測定用クリップ１００を端子台７００に接触させることができるので、測定用クリップ１００が端子台７００を挟み込む挟持力の強度を高め、端子台７００に対して１箇所で接触する場合と比較して、端子台７００に対して測定用クリップ１００を確実に位置決めすることができる。
【００９４】
また、この実施の形態の測定用クリップ１００は、カバー７０２を端子台７００に取り付けたままで端子台７００を挟むことができる。これによって、端子台７００の設置場所が狭いためにカバー７０２を外すことが困難な状況であっても、測定作業をおこなう作業者を煩わせることなく、測定対象となる端子台ネジ７０１とリード端子２０１あるいはリード線１１０２とを接続することができる。
【００９５】
このように、この実施の形態の測定用クリップ１００によれば、端子台７００からカバー７０２を取り外すことなく、測定対象となる端子台ネジ７０１を挟むように測定用クリップ１００を取り付けるだけで、測定用機器のリード端子２０１またはリード線１１０２と、配電盤における所望の端子台ネジ７０１とを、容易かつ確実に接続することができる。
【００９６】
また、このように、この実施の形態の測定用クリップ１００によれば、端子台７００からカバー７０２を取り外すことなく測定用機器のリード端子２０１またはリード線１１０２と、配電盤における所望の端子台ネジ７０１とを接続することができるので、接続に際して、測定対象となる端子台ネジ７０１以外の端子台ネジ７０１に感電や短絡を防止するための養生をしなくてもよい。これによって、測定作業に際しての作業者の負担軽減を図ることができる。
【００９７】
また、この実施の形態の測定用クリップ１００によれば、測定作業に際しては、測定対象となる端子台ネジ７０１とリード端子２０１とを接続する接続部１０５が、当該端子台ネジ７０１から離間した位置に位置付けられるので、測定後も、測定に関係のない配線などによってじゃまをされることなく、リード端子２０１を容易に取り外すことができる。
【００９８】
また、この実施の形態の測定用クリップ１００によれば、測定対象となる端子台ネジ７０１の周囲など配線の混み合った箇所から、測定対象となる端子台ネジ７０１に接続された接続部１０５を離間させ、この接続部１０５にリード端子２０１またはリード線１１０２を接続することによって、測定に際して、リード端子２０１に接続されたリード線が不自然に折れ曲がったりすることを防止できる。これによって、リード線における素線切れの発生を抑制し、測定作業を正しくおこなうことができる。
【００９９】
このように、この実施の形態の測定用クリップ１００によれば、測定対象となる端子台ネジ７０１に対するリード端子２０１あるいはリード線１１０２の取り付けあるいは取り外し作業を容易におこなうとともに、取り付けられたリード端子２０１あるいはリード線１１０２を素線切れなどを発生させない良好な状態で測定作業をおこなうことができるので、測定作業を開始してから測定作業を完了させるまでの作業時間の短縮を図ることができる。
【０１００】
この実施の形態の測定用クリップ１００によれば、測定対象となる端子台ネジ７０１以外の端子台ネジ７０１の養生をおこなうことなく測定作業をおこなうことができるので、これによっても、測定作業を開始してから測定作業を完了させるまでの作業時間の短縮を図ることができる。
【０１０１】
また、この実施の形態の測定用クリップ１００は、一対のクリップ片１０１、１０２の一端部１０１ａ、１０２ａが、それぞれ、配電盤が備えた端子台ネジ７０１に嵌合可能な形状からなることを特徴としている。これにより、一対のクリップ片１０１、１０２の一端部を配電盤が備えた端子台ネジ台ネジ７０１に嵌合させた場合には、測定対象とする端子台ネジ７０１および当該端子台ネジ７０１とともに測定用クリップ１００によって挟み込む端子台ネジ７０１に対して測定用クリップ１００を確実に固定することができる。
【０１０２】
また、この実施の形態の測定用クリップ１００は、他方のクリップ片１０２の他端部１０２ｂに設けられ、蛍光あるいは蓄光性を有する材料によって形成されたガイド部１１０を備えたことを特徴としている。これにより、測定対象となる端子台ネジ７０１が、たとえば狭く薄暗い場所に設置されている場合にも、ガイド部１１０を周囲よりも目立たせることができる。
【０１０３】
そして、ガイド部１１０を周囲よりも目立たせることによって、ガイド部１１０を介して接続部１０５の位置を容易に把握させることができる。これによって、測定器のリード端子２０１の接続位置を分かりやすく案内することができる。また、ガイド部１１０を目立たせることによって、測定用クリップ１００が端子台７００に取り付けられていることを意識させることができるので、作業終了後に測定用クリップ１００を取り外し忘れることを防止することができる。
【０１０４】
また、この実施の形態の測定用クリップ１００は、一対のクリップ片１０１、１０２が、それぞれ、互いに当接する一端側１０１ａ、１０２ａと他端側１０１ｂ、１０２ｂとに分割された複数のパーツ５０１ａ、５０１ｂおよび５０２ａ、５０２ｂによって構成され、一端側のパーツ５０１ａ、５０２ａは、他端側のパーツ５０１ｂ、５０２ｂに対し取り外し可能に連結されていることを特徴としている。これにより、他端側のパーツ５０１ｂ、５０２ｂに連結する一端側のパーツ５０１ａ、５０２ａの長さを、任意に変えることができる。
【０１０５】
そして、他端側のパーツ５０１ｂ、５０２ｂに連結する一端側のパーツ５０１ａ、５０２ａの長さを変えることにより、測定用クリップ１００が挟み込むことができる幅を変更することができる。これにより、大きさが異なる複数種類の端子台７００の端子台ネジ７０１に測定器のリード端子２０１またはリード線１１０２を接続することができるので、測定用クリップ１００の汎用性の向上を図ることができる。
【０１０６】
また、他端側のパーツ５０１ｂ、５０２ｂに連結する一端側のパーツ５０１ａ、５０２ａの長さを変えることにより、測定対象となる端子台ネジ７０１と接続部１０５との距離を調整することができる。これによって、測定対象となる端子台ネジ７０１の周辺の配線状況などに応じて、一端側のパーツ５０１ａ、５０２ａの長さを適切な長さに決定し、測定対象となる端子台ネジ７０１と接続部１０５との間に十分な距離を確保することができる。
【０１０７】
そして、このように測定対象となる端子台ネジ７０１と接続部１０５との間に十分な距離を確保することによって、感電や短絡の発生を確実に防止することができる。このように、この実施の形態の測定用クリップ１００によれば、感電や短絡の発生を確実に防止することができるので、配電盤の端子台７００に対して測定作業をおこなう作業者の安全性の向上を図ることができる。
【０１０８】
また、この実施の形態の端子台ネジ７０１は、配電盤の端子台７００に設けられる端子台ネジ７０１であって、半径方向に突出する凸部７１２ａを備え、当該凸部７１２ａが周方向に沿って連続した形状からなる頭部７１２を備えたことを特徴としている。この端子台ネジ７０１によれば、測定用クリップ１００を用いて測定対象とする端子台ネジ７０１を挟み込んだ場合に、端子部１０７に対して凸部７１２ａを当接させることによって、端子部１０７と端子台ネジ７０１とを確実に電気的に接続することができる。これによって、端子台７００に取り付けたままのカバー７０２を挟み込むようにして測定用クリップ１００を端子台７００に固定した場合にも、端子部１０７と端子台ネジ７０１との電気的な接続を確実に確保することができる。
【０１０９】
また、首部分において周方向に沿って連続した溝をなす形状からなる頭部７１２を備えた端子台ネジ７０１を、配電盤の端子台７００に設けることによって、測定用クリップ１００を用いて測定対象とする端子台ネジ７０１を挟み込んだ場合に、端子台ネジ７０１の頭部７１２がなす溝に一対のクリップ片１０１、１０２の一端部１０１ａ、１０２ａを嵌め込みあるいは係合させることができる。これによって、測定対象とする端子台ネジ７０１および当該端子台ネジ７０１とともに測定用クリップ１００によって挟み込む端子台ネジ７０１に対して測定用クリップ１００を確実に固定することができる。
【産業上の利用可能性】
【０１１０】
以上のように、この発明にかかる測定用クリップおよび端子台ネジは、端子台ネジの接続状態を確認するための各種測定作業に際して使用する測定用クリップおよび端子台ネジに有用であり、特に、複数の端子台ネジが密集して配列された端子台ネジの接続状態を確認するための各種測定作業に際して使用する測定用クリップおよび端子台ネジに適している。
【符号の説明】
【０１１１】
１００  測定用クリップ
１０１、１０２  クリップ片
１０３  支点部
１０４  付勢部材
１０５  接続部
１０７  端子部
１０８  絶縁部
１１０  ガイド部
【図１】
2010205544.tif 000003
【図２】
2010205544.tif 000004
【図３】
2010205544.tif 000005
【図４】
2010205544.tif 000006
【図５−１】
2010205544.tif 000007
【図５−２】
2010205544.tif 000008
【図５−３】
2010205544.tif 000009
【図６−１】
2010205544.tif 000010
【図６−２】
2010205544.tif 000011
【図７−１】
2010205544.tif 000012
【図７−２】
2010205544.tif 000013
【図８】
2010205544.tif 000014
【図９】
2010205544.tif 000015
【図１０】
2010205544.tif 000016
【図１１−１】
2010205544.tif 000017
【図１１−２】
2010205544.tif 000018